(57)【要約】【課題】  動作中断後に、特定キーを操作することにより新たに設定した動作をスタートすることができる制御手段を有する電気機器を提供する。【解決手段】  本発明の制御手段は、電気機器の運転が中断して長時間たって再開する場合、動作中断後に、特定キーを操作することにより中断時と開始時の内容を吟味して推奨動作内容の表示（残時間等）を行い、また、特定キーの操作を繰り返し行うことにより複数の動作表示（残時間等）を行なうこと可能とし、その動作表示の途中で別の特定キー操作を行うことにより、選択された動作内容にあったプログラムによって、新たに設定した動作をスタートすることができる。【選択図】      図６
2006102005.tif 000002
【特許請求の範囲】
【請求項１】
一連の動作を自動的に運転させる機器の制御装置において、電気機器の運転が中断して再開する場合、動作中断後に、特定キーを操作することにより中断時と開始時の内容を吟味して推奨動作内容の表示（残時間等）を行い、別の特定キー操作を行うことにより、選択された動作内容にあったプログラムによって、新たに動作設定が可能な制御手段を有する電気機器。
【請求項２】
一連の動作を自動的に運転させる機器の制御装置において、電気機器の運転が中断して再開する場合、動作中断後に、特定キーの操作を繰り返し行うことにより、中断時と開始時の内容を吟味し複数の推奨動作内容の表示（残時間等）を行なうこと可能とし、その動作表示の途中で別の特定キー操作を行うことにより、選択された動作内容にあったプログラムによって、新たに動作設定が可能な制御手段を有する電気機器。
【請求項３】
上記動作表示を液晶等の表示部に行なうことを特徴とする請求項１又は請求項２記載の新たに動作設定が可能な制御手段を有する電気機器。
【請求項４】
上記動作表示を音声で行なうことを特徴とする請求項１又は請求項２記載の新たに動作設定が可能な制御手段を有する電気機器。
【請求項５】
上記動作表示を液晶等の表示部と音声との併用により行なうことを特徴とする請求項１又は請求項２記載の新たに動作設定が可能な制御手段を有する電気機器。
【請求項６】
電気機器が食器洗い乾燥機であることを特徴とする請求項１又は請求項５記載の新たに動作設定が可能な制御手段を有する電気機器。
【請求項７】
電気機器が全自動洗濯機またはドラム式洗濯機の洗濯機であることを特徴とする請求項１又は請求項５記載の新たに動作設定が可能な制御手段を有する電気機器。
【請求項８】
電気機器が衣類乾燥機であることを特徴とする請求項１又は請求項５記載の新たに動作設定が可能な制御手段を有する電気機器。
【発明の詳細な説明】
【技術分野】
【０００１】
本発明は、食器洗い乾燥機、全自動洗濯機、ドラム式洗濯機、衣類乾燥機等の電気機器に関するものである。
【背景技術】
【０００２】
従来、食器洗い乾燥機、全自動洗濯機、衣類乾燥機、ドラム式洗濯機等の一連の動作を自動的に運転させる機器の制御装置において、大電流を消費する負荷をもつ機器の場合、機器自身の動作によって運転途中で電源供給が中断された場合でも、前回運転がどの段階で中断されたかを判断できるようにし、再度電源が供給されたとき、中断された段階より継続して運転可能にするものは知られている。（例えば、特許文献１を参照）。
【特許文献１】特開平１１−１６９５８５号公報
【発明の開示】
【発明が解決しようとする課題】
【０００３】
電気機器の運転が中断して長時間たって再開する場合には、中断された段階より継続して運転することのみではなく、状況によっては残り運転の内容を変える必要がある。また、その状況がわからない場合は、最初から再設定を行う必要があった。また、表示等においては現在の運転状況が判断できない場合がある等の問題があった。そこで本発明は、動作中断後に、特定キーを操作することにより中断時と開始時の内容を吟味して推奨動作内容の表示（残時間等）を行い、また、特定キーの操作を繰り返し行うことにより複数の動作表示（残時間等）を行なうこと可能とし、その動作表示の途中で別の特定キー操作を行うことにより、選択された動作内容にあったプログラムによって、新たに設定した動作をスタートすることができる制御手段を有する電気機器を提供することを目的とする。
【課題を解決するための手段】
【０００４】
上記課題を解決するために、本発明の請求項１に係る新たに動作設定が可能な制御手段を有する電気機器は、一連の動作を自動的に運転させる機器の制御装置において、電気機器の運転が中断して再開する場合、動作中断後に、特定キーを操作することにより中断時と開始時の内容を吟味して推奨動作内容の表示（残時間等）を行い、別の特定キー操作を行うことにより、選択された動作内容にあったプログラムによって、新たに動作設定が可能な制御手段を有するように構成した。
【０００５】
こうして、運転途中に電源等の切断により運転が中断した場合に、運転中断後に、「特定キーＡ」等の簡単なキー操作で運転を再開する場合の適正な動作内容の表示（残時間等）が設定できるとともに、「特定キーＢ」等の簡単なキー操作で、その選択した内容で設定されたプログラムにより動作を再開させることが可能となる。
【０００６】
本発明の請求項２に係る新たに動作設定が可能な制御手段を有する電気機器は、一連の動作を自動的に運転させる機器の制御装置において、電気機器の運転が中断して再開する場合、動作中断後に、特定キーの操作を繰り返し行うことにより、中断時と開始時の内容を吟味し複数の推奨動作内容の表示（残時間等）を行なうこと可能とし、その動作表示の途中で別の特定キー操作を行うことにより、選択された動作内容にあったプログラムによって、新たに動作設定が可能なように構成した。
【０００７】
こうして、運転途中に電源等の切断により運転が中断した場合に、運転中断後に、「特定キーＡ」等の簡単なキー操作で運転を再開する場合の適正な複数の動作内容の表示（残時間等）が「特定キーＡ」の入力を行うごとに変化できるようにしておき、この表示内容は一定内容を繰り返し表示させ、「特定キーＢ」等の簡単なキー操作で、その選択した内容で設定されたプログラムにより動作を再開させることが可能となる。
【０００８】
本発明の請求項３に係る新たに動作設定が可能な制御手段を有する電気機器は、一連の動作を自動的に運転させる機器の制御装置において、電気機器の運転が中断して再開する場合、動作中断後に、特定キーを操作することにより中断時と開始時の内容を吟味して推奨動作内容の表示（残時間等）を液晶等の表示部に行い、別の特定キー操作を行うことにより、又は、特定キーの操作を繰り返し行うことにより、中断時と開始時の内容を吟味し複数の推奨動作内容の表示（残時間等）を液晶等の表示部に行なうこと可能とし、その動作表示の途中で別の特定キー操作を行うことにより、選択された動作内容にあったプログラムによって、新たに動作設定が可能な制御手段を有するように構成した。
【０００９】
こうして、運転途中に電源等の切断により運転が中断した場合に、運転中断後に、「特定キーＡ」等の簡単なキー操作で運転を再開する場合の適正な動作内容の液晶等の表示部への示（残時間等）が設定できると共に、「特定キーＢ」等の簡単なキー操作で、その選択した内容で設定されたプログラムにより動作を再開させることができ、適正な設定の選択が可能となる。
【００１０】
本発明の請求項４に係る新たに動作設定が可能な制御手段を有する電気機器は、一連の動作を自動的に運転させる機器の制御装置において、電気機器の運転が中断して再開する場合、動作中断後に、特定キーを操作することにより中断時と開始時の内容を吟味して推奨動作内容の表示（残時間等）を音声で行い、別の特定キー操作を行うことにより、又は、特定キーの操作を繰り返し行うことにより、中断時と開始時の内容を吟味し複数の推奨動作内容の表示（残時間等）を音声で行なうこと可能とし、その動作表示の途中で別の特定キー操作を行うことにより、選択された動作内容にあったプログラムによって、新たに動作設定が可能な制御手段を有するように構成した。
【００１１】
こうして、運転途中に電源等の切断により運転が中断した場合に、運転中断後に、「特定キーＡ」等の簡単なキー操作で運転を再開する場合の適正な動作内容の音声表示（残時間等）が設定できると共に、「特定キーＢ」等の簡単なキー操作で、その選択した内容で設定されたプログラムにより動作を再開させることができ、キー操作に不馴れな人も音声で適正な設定の選択が可能となる。
【００１２】
本発明の請求項５に係る新たに動作設定が可能な制御手段を有する電気機器は、一連の動作を自動的に運転させる機器の制御装置において、電気機器の運転が中断して再開する場合、動作中断後に、特定キーを操作することにより中断時と開始時の内容を吟味して推奨動作内容の表示（残時間等）を液晶等の表示部と音声との併用により行い、別の特定キー操作を行うことにより、又は、特定キーの操作を繰り返し行うことにより、中断時と開始時の内容を吟味し複数の推奨動作内容の表示（残時間等）を液晶等の表示部と音声との併用により行なうこと可能とし、その動作表示の途中で別の特定キー操作を行うことにより、選択された動作内容にあったプログラムによって、新たに動作設定が可能な制御手段を有するように構成した。
【００１３】
こうして、運転途中に電源等の切断により運転が中断した場合に、運転中断後に、「特定キーＡ」等の簡単なキー操作で運転を再開する場合の適正な動作内容の音声表示（残時間等）が設定できると共に、「特定キーＢ」等の簡単なキー操作で、その選択した内容で設定されたプログラムにより動作を再開させることができると共に、液晶等の表示部への表示と音声での表示が両方行なうことができ、キー操作に不馴れな人も適正な設定の選択が可能となる。
【００１４】
本発明の請求項６に係る新たに動作設定が可能な制御手段を有する電気機器は、上記請求項１又は請求項５記載の電気機器を食器洗い乾燥機とした。
【００１５】
こうして、食器洗い乾燥機を運転途中に電源等の切断により運転が中断した場合に、運転中断後に、「特定キーＡ」等の簡単なキー操作で運転を再開する場合の適正な動作内容の表示（残時間等）が設定できるとともに、「特定キーＢ」等の簡単なキー操作で、その選択した内容で設定されたプログラムにより動作を再開させることが可能となる。
【００１６】
本発明の請求項７に係る新たに動作設定が可能な制御手段を有する電気機器は、上記請求項１又は請求項５記載の電気機器を全自動洗濯機またはドラム式洗濯機の洗濯機とした。
【００１７】
こうして、全自動洗濯機またはドラム式洗濯機の洗濯機を運転途中に電源等の切断により運転が中断した場合に、運転中断後に、「特定キーＡ」等の簡単なキー操作で運転を再開する場合の適正な動作内容の表示（残時間等）が設定できるとともに、「特定キーＢ」等の簡単なキー操作で、その選択した内容で設定されたプログラムにより動作を再開させることが可能となる。
【００１８】
本発明の請求項８に係る新たに動作設定が可能な制御手段を有する電気機器は、上記請求項１又は請求項５記載の電気機器を電気機器が衣類乾燥機とした。
【００１９】
こうして、衣類乾燥機を運転途中に電源等の切断により運転が中断した場合に、運転中断後に、「特定キーＡ」等の簡単なキー操作で運転を再開する場合の適正な動作内容の表示（残時間等）が設定できるとともに、「特定キーＢ」等の簡単なキー操作で、その選択した内容で設定されたプログラムにより動作を再開させることが可能となる。
【発明の効果】
【００２０】
以上のように、本発明の新たに動作設定が可能な制御手段を有する電気機器は、あらかじめ動作内容（時間等）にあったプログラムを設定することで、運転途中の中断で再開した場合も、特定キーの簡単なキー操作で動作内容（時間等）を表示すると共に、特定キーの操作による指定の内容で設定されたプログラムにより動作スタートを可能にしたものである。また、動作内容（時間等）を複数種類のものを用意し、特定キーを順次押すことすることにより、所望の動作内容を任意に選択できるようにできる。また、表示は液晶等の表示部に視認可能にするか、あるいは音声によってより解かり易く表示するか、または視認及び音声の両方の表示を可能とする。そして、簡単なキー操作で中断時と開始時の状況に応じた運転動作内容（残時間等）を設定でき、指定の内容で設定されたプログラムにより動作のスタートを可能にし、その選んだ運転内容にて動作開始ができるものである。
【発明を実施するための最良の形態】
【００２１】
本発明の動作設定可能な制御手段を有する電気機器の実施形態を食器洗い乾燥機を一例にして説明する。
【００２２】
以下には、図面を参照して、この発明の実施形態について具体的に説明する。図１は、この発明の一実施形態に係る食器洗い機１を正面側から斜めに見た斜視図である。
【００２３】
図１において、この食器洗い機１は、その外形が略直方体形状の筐体２により区画されている。筐体２は、左右方向の長さ（幅）に比べて前後方向の長さ(奥行き）が短く形成されている。
【００２４】
筐体２の内部には、洗浄すべき食器を収容するための洗浄タンク３が配置されており、この洗浄タンク３の前面には開口４が形成されている（図２参照)。開口４は、筐体２に対して回動可能に取り付けられた２枚の扉（上扉５および下扉６）により覆うことができるようになっている。上扉５によって開口４の上半分程度を覆うことができ、下扉６によって開口４の下半分程度を覆うことができる。上扉５は手前上方に回動可能となっている一方、下扉６は手前下方に回動可能となっている。これらの上房５および下扉６を閉じた状態では、開口４が覆われて、洗浄タンク３が水密に塞がれる。
【００２５】
下扉６の上端部には、その左右方向の中央部に、当該下扉６を開く際にユーザが握るための把持部７が配置されている。ユーザは、把持部７を握って手前側に引くことにより、下扉６を手前下方に回動させることができる。上扉５は下扉６に連動して開閉するようになっていて、下扉６が手前下方に回動されると、それに連動して上扉５が手前上方に回動され、開口４が大きく開放される。筐体２の前面下部には、この食器洗い機１における運転内容（運転コースなど)を設定する操作表示パネル８が配置され、該操作表示パネル８には例えば液晶等でなる表示部１０が含まれている。
【００２６】
図２は、食器洗い機１を前後方向に沿った鉛直面で切断したときの断面を右側から見た断面図である。図２を参照して、洗浄タンク３内には、洗浄すべき食器を保持するための２つの食器かご９（上かご９Ａおよび下かご９Ｂ）が、上下方向に一定間隔を開けて配置されている。上かご９Ａおよび下かご９Ｂは、それぞれ前後方向にスライド可能に配置されていて、上扉５および下扉６を開いた状態で開口４を介して手前側に引き出し、食器の出し入れを容易に行うことができるようになっている。
【００２７】
下かご９Ｂの右側の部分は、小皿や大皿などの比較的大きな皿を立てた状態で収容可能な大皿収容部となっている。また、下かご９Ｂの中央部から左側にかけての部分は、茶碗、汁椀および丼などの椀物を、横にして立てた状態で収容可能な椀収容部となっている。
【００２８】
上かご９Ａの右側の部分は、小鉢を収容するための小鉢収容部となっている。また、上かご９Ａの中央部から左側にかけての部分は、コップや湯のみなどを収容するためのコップ収容部１３となっている。小鉢収容部に収容される小鉢、およびコップ収容部１３に収容されるコップや湯のみなどは、それぞれ開口が下方を向くようにしてセットされる。なお、上かご９Ａおよび下かご９Ｂの周緑部などの空きスペースには、小皿を立てた状態で収容することができるようになっている。
【００２９】
洗浄タンク３の左右内側面３Ａの上部には、上かご９Ａの左右側縁部と係合して前後方向にスライド可能に保持するための２対のレール１４が、上下方向に一定間隔を空けて平行に配置されている（図２では、各対の左側のレール１４だけが見えている）。この構成によれば、上下に並ぶ２対のレール１４のいずれに上かご９Ａの左右側緑部を係合させるかによって、上かご９Ａの高さを２段階に切り替えることができる。
【００３０】
洗浄タンク３の底面３Ｂの手前側左部には、洗浄水を溜めておくための貯水部１５が、一段低く形成されている。洗浄タンク３内には、たとえば、機外の給水設備や給場設備から水道水を供給することができるようになっていて、洗浄タンク３内に供給された水道水は、貯水部１５を含む洗浄タンク３の下部に溜まるようになっている。給水設備から洗浄タンク３内への水道水の供給、および給場設備から洗浄タンク３内への水道水（湯）の供給は、給水バルブ（図示せず）の開閉により行われる。給湯設備から給水バルブを介して洗浄タンク３内に湯を供給する場合には、たとえば操作表示パネル８の操作によってその旨の設定を行う。食器の洗浄に使用する洗浄水は、洗浄タンク３内に洗剤を投入することにより、その洗剤が洗浄タンク３内に供給された水道水と混ぜ合わされて生成される。
【００３１】
洗浄タンク３内に溜められた洗浄水（または水道水）の水位は、洗浄タンク３の後方下部に配置された水位センサ１６（圧力センサ）によって検知される。貯水部１５にはエアトラップ１７が連通していて、このエアトラップ１７と水位センサ１６とがエアホース１８で接続されている。このような構成によれば、洗浄タンク３内の水位の変化に応じてエアトラップ１７内の空気の圧力が変化するので、このエアトラップ１７内の空気の圧力の変化を水位センサ１６で検知することにより、洗浄タンク３内に溜められた洗浄水の水位を検知することができる。
【００３２】
下扉６の内面（閉じた状態で洗浄タンク３側となる面）には、そのほぼ中央部に専用洗剤（通常は粉末）を収容するための凹部（専用洗剤収容部）が形成されていて、この専用洗剤収容部（図示せず）の左側に台所洗剤（通常は液体）を収容するための凹部（台所洗剤収容部）が形成されている。この食器洗い機１では、専用洗剤収容部に専用洗剤を収容し、その専用洗剤を洗浄タンク３内に供給された水道水と混ぜ合わせて食器の洗浄を行うコース（専用洗剤コース）や、台所洗剤収容部に台所洗剤を収容し、その台所洗剤を洗浄タンク３内に供給された水道水と混ぜ合わせて食器の洗浄を行うコース(台所洗剤コース）などの各種運転コースを実行可能である。
【００３３】
台所洗剤コースで食器の洗浄を行う場合、使用する台所洗剤の量は、５ｍｌ程度が好ましい。台所洗剤には、中性、弱アルカリ性および弱酸性のものがあるが、洗剤量を５ｍｌ程度にすれば、いずれの種類の台所洗剤を使用した場合でも、食器を十分に洗浄することができる。
【００３４】
洗浄タンク３の下方（貯水部１５の後方）には、食器の洗浄時に洗浄タンク３内の洗浄水を循環させたり、洗浄タンク３内の洗浄水を排水したりするための洗浄兼排水ポンプ２０が配置されている。図２においては図示しないが、洗浄兼排水ポンプ２０は、その内部が洗浄ポンプ室と排水ポンプ室とに区画されていて、洗浄ポンプ室および排水ポンプ室には、それぞれポンプモータによって回転駆動可能な洗浄用インベラおよび排水用インベラか備えられている。
【００３５】
洗浄ポンプ室の吸入口２１は、貯水部１５の後壁に形成された循環口２２に接続されていて、洗浄ポンプ室の吐出口２３は、洗浄タンク３の下方に左右方向に沿って延設された通水路２４に接続されている。この通水路２４は、後述する回転ノズルアームおよび固定ノズルアームに接続されている。ポンプモータが正転されると、洗浄ポンプ室内の洗浄用インペラの回転によって、貯水部１５から循環口２２を介して洗浄ポンプ室内に洗浄水が吸い込まれ、その洗浄水が吐出口２３から通水路２４に送り出される。
【００３６】
通水路２４を介して圧送された洗浄水は、回転ノズルアームおよび固定ノズルアームから洗浄タンク３内の食器に向けて噴射される。回転ノズルアームおよび固定ノズルアームから噴射された洗浄水は、再び洗浄タンク３の底部に溜まり、貯水部１５から循環口２２を介して洗浄兼排水ポンプ２０（洗浄ポンプ室）に吸い込まれる。このようにして、貯水部１５に溜められた洗浄水は、食器洗い機１内で循環されて、食器の洗浄に使用されるようになっている。
【００３７】
また、排水ポンプ室の吸込口は貯水部１５の左側壁に形成された排水口２５に接続されていて、排水ポンプ室の吐出口は機外に連通する排水路（図示せず）に接続されている。ポンプモータが反転されると、排水ポンプ室内の排水用インペラの回転によって、貯水部１５から排水口２５を介して排水ポンプ室内に洗浄水が吸い込まれ、その洗浄水が排水路を介して機外に排出される。
【００３８】
洗浄タンク３の底部には、下かご９Ｂの下方から上方に向かって洗浄水を噴射するための２つの回転ノズルアーム２６が、左右に並べて配置されている。これら２つの回転ノズルアーム２６は、それぞれ略楕円状の長尺形状を有していて、共通のノズルベース２７により、それぞれの長手方向中央部を中心にして、水平
面内で回転可能に保持されている。ノズルベース２７は、通水路２４に連通している。
【００３９】
各回転ノズルアーム２６の上面には、複数（例えば、６個）のノズル２８が形成されている。洗浄来排水ポンプ２０から通水路２４およびノズルベース２７を介して各回転ノズルアーム２６に送られてきた洗浄水は、各回転ノズルアーム２６のノズル２８から上方に向かって噴射される。各回転ノズルアーム２６のノズル２８から洗浄水が噴射される際、各回転ノズルアーム２６に対して反力が生じ、その反力によって、各回転ノズルアーム２６はノズル２８から洗浄水を噴射しつつ回転することとなる。これにより、各回転ノズルアーム２６の上方に位置する食器に満遍なく洗浄水を噴射して、良好に洗浄を行うことができる。
【００４０】
洗浄タンク３の後面３Ｃ（内面）には、上かご９Ａと下かご９Ｂとの間から洗浄水を噴射するための固定ノズルアーム２９が配置されている。固定ノズルアーム２９は、その下端から上方に延びた後、途中から第１アームと第２アームとに分岐した形状となっている。固定ノズルアーム２９は、その下端が通水路２４に連通している。コップ収容部１３の最後列（３列目）に収容されたコップに向けて上方に洗浄水を噴射するためのノズル１１が、コップの数と同じ数だけ具えられている。
【００４１】
洗浄タンク３の天面（内面）には、コップ収容部１３の中央部のほぼ真上の位置に、下方に向けて洗浄水を噴射するための天面ノズル３０が配置されている。この天面ノズル３０は、送水管３１を介して洗浄兼排水ポンプ２０の洗浄ポンプ室に接続されている。したがって、ポンプモータが正転して洗浄ポンプ室内の洗浄用インペラが回転すると、貯水部１５から循環口２２を介して洗浄ポンプ室に吸い込まれた洗浄水が、送水管３１を介して天面ノズル３０に送られ、天面ノズル３０から下方に噴射される。天面ノズル３０からの洗浄水は、左右方向に拡散されて、当該天面ノズル３０の真下に近い位置と、天面ノズル３０よりも後方側の位置とに噴射される。これにより、コップ収容部１３の２列目および３列目に収容されたコップの外面を良好に洗浄することができる。
【００４２】
貯水部１５の上緑部には、メッシュ状の残菜フィルタ１２が着脱可能に配置されていて、洗浄時に食器から分離した残菜は、この残菜フィルタ１２により捕獲され、貯水部１５への流入が阻止されるようになっている。残菜フィルタ１２の前端中央部には、上方に延びる把持部３２が形成されており、ユーザは、この把持部３２を掴んで残菜フイルタ１２の着脱を容易に行うことができるようになっている。
【００４３】
この食器洗い機１は、洗浄後の食器を乾燥させる機能を有している。洗浄タンク３の底面３Ｂの前側中央部から右端にかけての部分（貯水部１５の右側）には、洗浄時に洗浄タンク３内に溜められた洗浄水を温めたり、乾燥時に洗浄タンク３内の空気を温めたりするためのループ状のヒータ１９が配置されている。ヒータ１９の上方には、複数の貫通孔（図示せず）が形成された金属製のヒータカバーが配置されている。
【００４４】
筐体２の前面の左右両端緑部（洗浄タンク３よりも外側）には、上下方向に延びる防音用シール（図示せず）が取り付けられている。また、筐体２の前面の左右両端部（洗浄タンク３の左右内側面寄りの位置）には、防音用シールに対して一定の間隔を空けて、上下方向に延びる水封用パツキン（図示せず）が取付けられている。水封用パッキンは、洗浄タンク３内の洗浄水が機外に漏れるのを防止するためのものである。上扉５および下扉６を閉じた状態では、上扉５および下扉６の裏面の左右両端部が、水封用パツキンおよび防音用シールに密着するようになっている。この構成によれば、食器洗い機１の運転時（特に洗浄時）に機内から外部に漏れる音を低減することができる。
【００４５】
図３は、この食器洗い機１の電気的構成を示すブロック図である。図３を参照して、この食器洗い機１の動作は、たとえばマイクロコンピュータを含む制御部４０によって制御される。制御部４０には、操作表示パネル８が入出力可能に接続されていて液晶表示部１０にモード表示を行なう。また、水位センサ１６および泡検知センサ４１からの信号が入力されるようになっている。
【００４６】
この実施形態では、洗浄タンク３の底部（たとえば、ヒータ１９の下方）に、洗浄タンク３内に溜められた洗浄水（または水道水）の温度を検知するための温度センサ４２が配置されている。この温度センサ４２はサーミスタを含む構成であって、制御部４０には、温度センサ４２からの信号及び不揮発性メモリ（ＥＥＰＲＯＭ）４７の信号も入力されるようになっている。
【００４７】
また、制御部４０には、ポンプモータ４３、給水バルブ４４、ヒータ１９およびブロワモータ４５が、負荷駆動部４６を介して接続されている。温度センサ４２からの信号に基づいてヒータ１９の駆動を制御することにより、洗浄タンク３内に溜められた洗浄水（または水道水）の温度を調整することができる。
【００４８】
かかる構成の食器洗い乾燥機において、食器をかごにセットし食器洗い乾燥機の操作表示パネル８の電源スイッチを入れてスタートボタンを押して動作を開始した場合、制御部１９のマイコンに内蔵されたプログラムにより洗浄・乾燥の動作を行う。その間には指定された動作が終了するごとに、ＥＥＰＲＯＭ４７等に作業終了データ・時間データ・温度データ等を記録していく。
【００４９】
図４は、専用洗剤コースにおける制御部４０による制御の流れを示すフローチヤートであって、給場設備から洗浄タンク３内に湯を供給するよう設定されている場合を示している。
【００５０】
図４を参照して、専用洗剤コースでは、制御部４０は、まず、給水バルブ４４を一定時間だけ開いて洗浄タンク３内に水道水（湯）を供給しつつ、ポンプモータ４３を反転させて洗浄タンク３内（貯水部１５内）の水道水を機外に排出させる準備行程を行う（ステップＳＩ)。
【００５１】
この食器洗い機１は、機外の給場設備から洗浄タンク３内に湯を供給して、その洗浄タンク３内に供給した湯と専用洗剤とを混ぜ合わせて洗浄水を生成し、その洗浄水を食器に噴射することにより殺菌洗浄を行うことができるようになっている（高温洗浄)。
【００５２】
高温洗浄を行う場合、給場設備から洗浄タンク３内に給場を開始したときには常温の水道水が供給され、徐々に水道水の温度が上昇することとなる。したがって、準備行程を行うことにより、給場開始時に洗浄タンク３内に供給される常温の水道水を排水することができるので、洗浄タンク３内に溜められる湯を十分に高温にすることができる。
【００５３】
準備行程が終了すると、制御部４０は、給水バルブ４４を一定時間だけ開いて洗浄タンク３内に水道水を供給した後、洗浄兼排水ポンプ２０を正転させることにより、洗浄タンク３内に溜められた洗浄水を食器に向けて噴射する洗い行程を実行し（ステップＳ２)、その後にすすぎ行程を実行する（ステップＳ３)。
【００５４】
すすぎ行程では、洗浄兼排水ポンプ２０を反転させて洗浄タンク３内の洗浄水（または水道水）を一旦排水した後、給水バルブ４４を開いて洗浄タンク３内に水道水を供給し、洗浄兼排水ポンプ２０を正転させて洗浄タンク３内に溜められた水道水を食器に向けて噴射する行程が３回（第１すすぎ、第２すすぎおよび第３すすぎ）繰り返された後、ヒータ１９を駆動させて洗浄タンク３内に溜められた水道水を温めて、その温められた水道水を食器に向けて噴射する行程（加熱すすぎ）が行われる。
【００５５】
すすぎ行程が終了すると、制御部４０は、ブロワモータ４５を駆動させて洗浄タンク３内に機外の空気を送り込みつつ、ヒータ１９により洗浄タンク３内の空気を温めて食器を乾燥させる乾燥行程を実行する（ステップＳ４)。
【００５６】
図５は、台所洗剤コースにおける制御部４０による制御の流れを示すフローチヤートである。図５を参照して、台所洗剤コースでは、制御部４０は、まず、給水バルブ４４を一定時間だけ開いて洗浄タンク３内に水道水を供給し、その供給された水道水と台所洗剤とを混ぜ合わせて洗浄水を生成した後、洗浄タンク３内に溜められた洗浄水を食器に向けて噴射して一定時間だけ放置する行程を複数回繰り返すつけ置き行程を実行する（ステップＳ１１）。台所洗剤コースでは、洗い行程の前につけ置き行程を行うことにより、洗浄タンク３内に泡が大量に発生するのを防止することができる。
【００５７】
台所洗剤コースでは、専用洗剤コースのように準備行程を行うことなく、つけ置き行程を開始するようになっている。一般的に、台所洗剤は、専用洗剤とは異なり、高温の水道水と混ぜ合わせられて洗浄水が生成された場合に洗浄性能が低下する。台所洗剤コースでは準備行程を行わない構成とすることにより、高温洗浄を実行するよう設定されている場合に洗浄タンク３内に溜められる湯の温度を比較的低くすることができるので、洗浄性能が低下するのを抑制できる。したがって、台所洗剤を用いて食器を洗浄する場合であっても、より良好に食器を洗浄することができる。
【００５８】
また、台所洗剤は専用洗剤と異なり液体であるため、専用洗剤コースのように準備行程を行うと、洗浄タンク３内に供給された台所洗剤が準備行程中にすべて機外に排出されてしまうおそれがあるが、準備行程を行わない構成とすることにより、洗浄タンク３内に供給された台所洗剤がすべて機外に排出されてしまうのを防止できる。
【００５９】
つけ置き行程が終了すると、制御部４０１は、洗浄兼排水ポンプ２０を正転させることにより、洗浄タンク３内に溜められた洗浄水を食器に向けて噴射した後、洗浄タンク３内の洗浄水を一旦排水する洗い行程を実行する（ステップＳ１２）。
【００６０】
この洗い行程は、専用洗剤コースにおける洗い行程（図４におけるステップＳ２）に相当する。洗い行程が終了すると、制御部４０は、すすぎ行程を実行した後 (ステップＳ１３）、乾燥行程を実行する（ステップＳ１４）。すすぎ行程および乾燥行程における制御部４０の制御内容は、専用洗剤コースの場合と同様である。
【００６１】
その後、運転の途中にて電源等の切断などにより運転作業を途中終了し、再開した場合には、判定に必要な温度データ等をＥＥＰＲＯＭ４７等に内蔵した上で、動作再現判定を図６のフローチャートのようなキー操作を行うことができる。
【００６２】
動作再現判定を開始し（ステップ２０）、次に、「特定キーＡ」（動作内容表示）の入力が有るどうかを判定する（ステップ２１）。もし、「特定キーＡ」の入力がなかったら（ＮＯ）、動作再現判定は終了する（ステップ２５）。「特定キーＡ」の入力が有ったら（ＹＥＳ）、ＥＥＰＲＯＭ４７から温度等のデータを得て、動作内容の表示（残時間等）を操作表示パネル８の表示部１０に行なう（ステップ２２）。この動作内容の表示は、複数を選べるように「特定キーＡ」の入力を行うごとに変化できるようにしておき、この表示内容は一定内容を繰り返し表示される。
【００６３】
次に、所望の表示状態にて「特定キーＢ」（スタート指示）が押されて、入力が有るどうかを判定する（ステップ２３）。もし、「特定キーＢ」の入力がなかったら（ＮＯ）、動作再現判定は終了する（ステップ２５）。「特定キーＢ」の入力が有ったら（ＹＥＳ）、プログラムされている設定した動作を行うように、動作表示に基づいた内容での「スタート」指示を行ない（ステップ２４）、動作再現判定は終了する（ステップ２５）。
【００６４】
このようにして、運転中断後に、「特定キーＡ」等の簡単なキー操作で運転を再開する場合の適正な動作内容の表示（残時間等）が設定できるとともに、「特定キーＢ」等の簡単なキー操作で、その選択した内容で設定されたプログラムにより動作を再開させることが可能となる。
【００６５】
ここで、食器洗い乾燥機において、乾燥途中に電源等の切断により運転が中断した場合に、その後、電源が回復して運転再開した場合の「動作内容の表示（残時間等）」を例示すると、以下の３つのケースがある。
【００６６】
（１）完全に乾燥させるように自動動作する（表示例：「Ａ」）
（２）３０・６０分とかの残り時間を表示する（表示例：「３０」又は「６０」)（３）中断前の残り時間を継続する（表示例：中断時の時間を点滅）
【００６７】
これらは、「特定キーＡ」を押すことによりこれらの表示を順次切り替えられるものとする。そして、それらが表示されている時点で「特定キーＢ」を押すことによりその１内容を実行する。
【００６８】
次に、それぞれの内容を具体的に述べる。
（１）完全に乾燥させるように自動動作する場合
この場合は、まず温度センサ４２のサーミスタにより機体内部の温度を測定し、中断時からどのくらい温度が低下していることが確認する。次にヒータ１９とブロワモータ４５を動作させることにより乾燥を開始する。この時には、直ぐには残時間が確定できないため自動設定中を意味するロゴ（例えば「Ａ」）を表示しておく。その後、一定時間での温度変化を測定すること等により食器類への水分付着量が推定でき、それにより残り乾燥時間を表示する。
【００６９】
（２）３０・６０分とかの残り時間を表示する場合
この場合は、水分付着に関係なく使用者の判断により残り時間を決定して、短時間のうちに乾燥を終了することを重視したものである。
【００７０】
（３）中断前の残り時間を継続する場合
この場合は、使用者の判断により完全に乾燥させるほどでもなく中断時の継続性を重視して乾燥を行うものである。
【００７１】
以上は、「動作内容（残時間等）」を表示部１０に表示するケースであるが、音声による表示を行なう場合について、図７のフローチャートにより説明する。
【００７２】
運転の途中にて電源等の切断などにより運転作業を途中終了し、再開した場合には、判定に必要な温度データ等をＥＥＰＲＯＭ４７等に内蔵した上で、動作再現判定を図７のフローチャートのようなキー操作を行うことができる。
【００７３】
動作再現判定を開始し（ステップ３０）、次に、「特定キーＡ」（動作内容音声表示）の入力が有るどうかを判定する（ステップ３１）。もし、「特定キーＡ」の入力がなかったら（ＮＯ）、動作再現判定は終了する（ステップ３５）。「特定キーＡ」の入力が有ったら（ＹＥＳ）、ＥＥＰＲＯＭ４７から温度等のデータを得て、動作内容音声表示（残時間等、複数個）を（ステップ３２）。この動作内容の音声表示は、複数を選べるように「特定キーＡ」の入力を行うごとに変化できるようにしておき、この表示内容は一定内容を繰り返し表示される。
【００７４】
次に、所望の表示状態にて「特定キーＢ」（スタート指示）が押されて、入力が有るどうかを判定する（ステップ２３）。もし、「特定キーＢ」の入力がなかったら（ＮＯ）、動作再現判定は終了する（ステップ３５）。「特定キーＢ」の入力が有ったら（ＹＥＳ）、プログラムされている設定した動作を行うように、動作表示に基づいた内容での「スタート」指示を行ない（ステップ３４）、動作再現判定は終了する（ステップ３５）。
【００７５】
このようにして、運転中断後に、「特定キーＡ」等の簡単なキー操作で運転を再開する場合の適正な動作内容の音声表示（残時間等）が設定できると共に、「特定キーＢ」等の簡単なキー操作で、その選択した内容で設定されたプログラムにより動作を再開させることが可能となる。
【００７６】
ここで、食器洗い乾燥機において、乾燥途中に電源等の切断により運転が中断した場合に、その後、電源が回復して運転再開した場合の「動作内容音声表示（残時間等）」を例示すると、以下の３つのケースがある。
（１）完全に乾燥させるように自動動作する（音声例：「完全に乾燥後、終了します。」）。
（２）３０分とかの残り時間を表示する（音声例：「３０分にて乾燥終了します。」）。
（３）中断前の残り時間を継続する（音声例：「ＸＸ分にて乾燥終了します。」）。
【００７７】
そして、それぞれの具体的内容は上記したとおりである。動作内容の表示は「音声のみ」によるものとは限らず、上記したように表示部１０への視認できる表示と併用することも、もちろん可能である。
【００７８】
本発明の、新たに動作設定が可能な制御手段を適用できる電気機器は、上記した食器洗い乾燥機のみに限らず、洗濯機にも適用可能である。洗濯機の一例として、ドラム式洗濯乾燥機の概要を図８を参照して説明する。
【００７９】
図８はドラム式洗濯乾燥機の外観図であり、ドラム式洗濯乾燥機のフレーム５１は、上面と前面との間の角部がやや丸みをもちつつ前下がりになった傾斜部に形成されている。この傾斜部からら後方にかけての洗濯物投入口を開閉するための上蓋５２は上方向に二つ折り自在になっている。上蓋５２の左側には前方に引き出し自在の洗剤容器５４が、右側には前後方向に延伸して操作パネル５３が設けられている。操作パネル５３には、洗濯コースや予約時間等を設定するためなどの各種の操作キーと、これら設定に応じて点灯したり、洗濯行程の進捗状況を報知したり、或いは予約や運転の残り時間などを表示するための各種の表示器が適宜に分散して配置されている。
【００８０】
図９に本ドラム式洗濯乾燥機の全工程を制御する制御部のブロック図を示す。図９において、マイコンからなる制御部６１は、操作パネル５３の操作部６２と温度検知部６３（温度検知手段）と水位検知部６４からそれぞれの信号が入力される。制御部６１は入力信号を従って内蔵のプログラムどおりの制御信号を負荷駆動部６５に出力する。
【００８１】
負荷駆動部６５はヒータ６６、各種モータ６７、給水弁６８（給水手段）、排水弁６９、ブロア７０、風呂水ポンプ７１に駆動信号を出力し、各部はそれぞれ指令に基づいて動作する。また、制御部６１は動作に応じた表示信号を表示部７２、ブザー７３に出力する。
【００８２】
かかる手段により、所定のプログラムにしたがって、洗濯工程、洗浄工程及び除菌工程の動作を行なうものであり、いずれかの工程の運転の途中にて電源等の切断などにより運転作業を途中終了し、電源回復により再開した場合には、動作内容は洗濯機対応のものであるが、上記動作再現判定を図６、図７のフローチャートのように設定することにより、特定キーを操作することにより新たに設定した動作をスタートすることができる。また、電気機器が全自動洗濯機、衣類乾燥機の場合も同様である。
【図面の簡単な説明】
【００８３】
【図１】本発明の一実施形態に係る食器洗い乾燥機の斜視図。
【図２】食器洗い乾燥機の断面図。
【図３】食器洗い乾燥機の電気的構成を示すブロック図。
【図４】専用洗剤コースの制御のフローチャート図。
【図５】台所洗剤コースの制御のフローチャート図。
【図６】本発明の動作再現判定のフローチャート。
【図７】本発明の他の動作再現判定のフローチャート。
【図８】本発明の他の実施形態に係るドラム式洗濯乾燥機の斜視図。
【図９】ドラム式洗濯乾燥機の電気的構成を示すブロック図。
【符号の説明】
【００８４】
１            食器洗い乾燥機
３            洗浄タンク
８            操作表示パネル
９            食器かご
１０          液晶等の表示部
１９          ヒータ
２０          洗浄兼排水ポンプ
２６          回転ノズルアーム
２９          固定ノズルアーム
４０          制御部
４２          温度センサ
４６          負荷駆動部
４７          ＥＥＰＲＯＭ
５１          ドラム式洗濯乾燥機のフレーム
５３          操作パネル
６１          制御部
６２          操作部
６３          温度検知部
６５          負荷駆動部
７２          表示部
【図１】
2006102005.tif 000003
【図２】
2006102005.tif 000004
【図３】
2006102005.tif 000005
【図４】
2006102005.tif 000006
【図５】
2006102005.tif 000007
【図６】
2006102005.tif 000008
【図７】
2006102005.tif 000009
【図８】
2006102005.tif 000010
【図９】
2006102005.tif 000011